(57)【特許請求の範囲】
【請求項１】
人工心臓弁から延在するテザーの一部を受け入れることができるテザー通路の少なくとも一部を規定する基礎部材を含むテザー取付部材であって、前記基礎部材が、前記テザー通路に交差する係止ピンチャネルを規定する、テザー取付部材と、
前記係止ピンチャネル内に配置可能な係止ピンであって、前記係止ピンが前記テザー通路から間隔があけられている第１位置と、前記係止ピンが前記テザー通路に交差しかつその中に配置されたテザーの一部に係合して前記テザーを前記テザー取付部材に固定することができる第２位置との間で移動可能である係止ピンと、
前記基礎部材に回転可能に結合されたハブであって、前記係止ピンの一部を受け入れるように構成された湾曲チャネルを規定し、前記ハブが前記基礎部材に対して回転するときに前記係止ピンを前記係止ピンチャネル内で直線状に移動させるように構成されたハブと、を備える装置。
【請求項２】
前記テザー取付部材に結合可能なパッドであって、前記パッドが心臓の心外膜表面と前記テザー取付部材との間に配置されるように前記心外膜表面に接触するように構成されたパッドをさらに備える、請求項１に記載の装置。
【請求項３】
前記基礎部材に結合されたチューブ部材であって、前記テザー通路の一部を規定しているチューブ部材をさらに備える、請求項１に記載の装置。
【請求項４】
前記テザー取付部材に結合可能なパッドであって、前記パッドの縁まで延在するスロットを規定し、前記スロットを介して前記人工心臓弁から延在するテザーに結合されるように構成され、心臓の心外膜表面と前記テザー取付部材との間に配置されるように前記心外膜表面に接触するように構成されたパッドをさらに備える、請求項１に記載の装置。
【請求項５】
基礎部材と、前記基礎部材に回転可能に結合されたハブ部材と、を含むテザー取付部材であって、前記基礎部材及び前記ハブが各々、人工心臓弁から延在するテザーの一部を受け入れることができるテザー通路の少なくとも一部を規定し、前記基礎部材が、前記テザー通路に交差しかつそれに流体連通する係止ピンチャネルを規定する、テザー取付部材と、
前記係止ピンチャネル内に少なくとも部分的に配置された係止ピンであって、前記ハブが、前記係止ピンのドライバ部分が受け入れられるカムチャネルを規定する、係止ピンと、を備え、
前記ハブが、前記基礎部材に対して回転して、前記カムチャネルが前記係止ピンを前記係止ピンチャネル内で直線状に移動させて、前記係止ピンを前記係止ピンが前記テザー通路から間隔があけられている第１位置、及び、前記係止ピンが前記テザー通路に交差しかつその中に配置されたテザーの一部に係合して前記テザーを前記テザー取付部材に固定する第２位置から移動させるように構成されている、装置。
【請求項６】
前記テザー取付部材に結合されたパッドであって、前記パッドが心臓の心外膜表面と前記テザー取付部材との間で配置されるように前記心外膜表面に接触するように構成されたパッドをさらに備える、請求項５に記載の装置。
【請求項７】
前記基礎部材に結合されたチューブ部材であって、前記テザー通路の一部を規定するチューブ部材をさらに備える、請求項５に記載の装置。
【請求項８】
前記基礎部材に結合されたチューブ部材であって、前記テザー通路の一部を規定するチューブ部材と、
前記チューブ部材の上に配置されたカバー部材と、をさらに備える、請求項５に記載の装置。
【請求項９】
前記基礎部材が、前記ハブの上の突起を受け入れて前記基礎部材に対する前記ハブの回転を制限するように構成された戻り止めを規定する、請求項５に記載の装置。
【発明の詳細な説明】
【技術分野】
【０００１】
[1001]  本出願は、「Pursestring Epicardial Pad Device」の名称で２０１３年８月１日に出願された米国仮特許出願第６１／８６１，３５６号、及び、「Improved Epicardial Pad Device」の名称で２０１３年１０月２５日に出願された米国仮特許出願第６１／８９５，９７５号に対する優先権及びそれらの利益を主張し、それらの開示の各々は、その全体が参照により本明細書に組み込まれる。本出願はまた、「Pursestring Epicardial Pad Device」の名称で２０１３年８月１日に出願された米国仮特許出願第６１／８６１，３５６号に対する優先権及びその利益を主張する、「Pursestring Epicardial Pad Device」の名称で２０１４年３月２５日に出願された米国特許出願第１４／２２４，７６４号の一部継続出願でもあり、それらの開示の各々は、その全体が参照により本明細書に組み込まれる。
【０００２】
[1002]  本明細書には、人工心臓弁置換術等、医療デバイスを係留するデバイス及び方法に関する実施形態が記載されている。
【背景技術】
【０００３】
[1003]  例えば人工心臓弁（例えば僧帽弁）等の医療デバイスを係留する既知のデバイスによっては、医療デバイスから延在する１本又は複数本のテザーを体内組織に固定することを含むことができる。例えば、１本又は複数本のテザーは、人工心臓弁から心臓の心室壁の開口部を通して延在することができる。テザーを係留又は固定する既知の方法によっては、穿刺部位の近くの組織に係合し又は当該組織を貫通するステープル又は他の締結具の使用を含む場合がある。こうしたデバイスは、比較的大きい輪郭を有し、所望の係留部位に経皮的に容易に送達することが困難である可能性がある。人工心臓弁を固定する既知の方法によっては、弁から延在するテザーを体内組織に縫合すること、又は縫合糸端を結びつけることを含む場合がある。こうしたデバイス及び方法は、テザーを所望の張力で固定するように操作することが困難である可能性がある。
【０００４】
[1004]  さらに、人工弁が経皮的に送達されて展開される場合等、開口部が心臓の心室壁又は心尖内に直接形成される場合、人工弁を適切な位置に固定することに加えて、穿刺部位を封止する有効性は患者の生命に対して重要であり、それは、心臓穿刺からの血行力学的な損失により数分以内でショック及び死がもたらされる可能性があるためである。さらに、穿刺部位が、心筋自体に位置するときに受ける外側の圧力は、心臓に対して遠位の穿刺部位よりはるかに高い。従って、例えば心臓穿刺部位を閉鎖するために、人工心臓弁を固定し、組織に係合しかつ組織を閉鎖する、改善されたデバイス及び方法は、本技術分野において既知であるこれらの問題及び他の問題を解決するために有用であると考えられる。
【発明の概要】
【０００５】
[1005]  本明細書では、人工心臓弁を係留する装置及び方法が記載されている。いくつかの実施形態では、装置は、人工心臓弁から延在するテザーの一部を受け入れることができるテザー通路の少なくとも一部を規定する基礎部材を含むテザー取付部材を含む。基礎部材は、テザー通路に交差する係止ピンチャネルを規定している。係止ピンが、係止ピンチャネル内に配置可能であり、係止ピンがテザー通路から間隔があけられている第１位置と、係止ピンがテザー通路と交差しかつその中に配置されたテザーの一部と係合してテザーをテザー取付部材に固定することができる第２位置との間で移動可能である。
【図面の簡単な説明】
【０００６】
【図１】人工僧帽弁が移植されている心臓の部分及び僧帽弁を適所に係留する心外膜アンカーデバイスの断面図である。
【図２】一実施形態による心外膜アンカーデバイスの概略図である。
【図３】一実施形態による心外膜アンカーデバイスの側面図である。
【図４】図３の心外膜アンカーデバイスの組立分解側面図である。
【図５】心室壁の心外膜表面において穿刺部位から間隔を空けて配置されて示されている、図３の心外膜アンカーデバイスの側面図であり、心外膜係留デバイスのスリーブガスケットを非圧縮状態又は形態で示す。
【図６】図５の心外膜アンカーデバイス及び心室壁の側面図であり、係留デバイスが穿刺部位及び心室壁に対して圧縮され、ガスケットが圧縮状態又は形態にあるように示されている。
【図７】別の実施形態による心外膜アンカーデバイスの組立分解側面図である。
【図８】別の実施形態による心外膜アンカーデバイスの組立分解側面図である。
【図９】一実施形態による心外膜アンカーデバイスに含めることができる可撓性パッドの上面図である。
【図１０】図９の可撓性パッド及びそこを通して配置されているテザーの一部の斜視図である。
【図１１】一実施形態による係止ピン及びテザー取付部材の斜視図である。
【図１２】図１１のテザー取付部材の底面斜視図である。
【図１３】レバーアームが第１位置で示されている、実施形態による、アンカーデバイス内で使用することができるテザー取付部材の上面斜視図である。
【図１４】レバーアームが第１位置で示されている、図１３のテザー取付部材の断面斜視図である。
【図１５】レバーアームが第１位置で示されており、テザーの一部がデバイスを通して延在している、図１３のテザー取付部材の側断面図である。
【図１６】レバーアームが第２位置で示されており、テザーの一部がデバイスを通して延在している、図１３のテザー取付部材の側断面図である。
【図１７】アンカーデバイスのアクセスアームが第１位置で示されており、テザーの一部がデバイスを通して延在している、一実施形態によるテザー取付部材の断面斜視図である。
【図１８】アクセスアームが第１位置にあり、テザーの一部がデバイスを通して延在しているように示されている、図１７のテザー取付部材の側断面図である。
【図１９】送達デバイスが結合されている、図１７のテザー取付部材の斜視図である。
【図２０】テザー取付部材及び図１９の送達デバイスの一部の拡大図である。
【図２１】アクセスアームが第２位置で示されている、図１７のテザー取付部材の上面斜視図である。
【図２２】別の実施形態による、心外膜アンカーデバイスの上面斜視図である。
【図２３】図２２の心外膜アンカーデバイスの上面図である。
【図２４】図２２の心外膜アンカーデバイスの組立分解図である。
【図２５】デバイスの係止ピンが第１位置で示されている、図２２の心外膜アンカーデバイスの断面斜視図である。
【図２６】図２０の心外膜アンカーデバイスの側断面図であり、デバイスの係留ピンが第１位置で示されている。
【図２７】係止ピンが第２位置で示されている、図２２の心外膜アンカーデバイスの底断面斜視図である。
【図２８】図２２の心外膜アンカーデバイスのハブ部材の上面斜視図である。
【図２９】図２２の心外膜アンカーデバイスのハブ部材の底面斜視図である。
【図３０】図２２の心膜パッドデバイスの一部の拡大上面図である。
【図３１】送達デバイスが結合されている、図２２の心外膜アンカーデバイスの斜視図である。
【発明を実施するための形態】
【０００７】
[1036]  本明細書には、例えば人工僧帽弁等の人工心臓弁を固定し係留するために使用することができる装置及び方法が記載されている。本明細書に記載する装置及び方法はまた、例えば、人工心臓弁を移植する処置を行うときに形成される、心臓の開口部を閉鎖するためにも使用することができる。本明細書に記載する装置及び方法はまた、他の医療デバイスを係留するため、及び／若しくは、診断処置又は治療処置の間に形成された他の体腔の穿刺部又は開口部を閉鎖するためにも使用することができる。
【０００８】
[1037]  いくつかの実施形態では、装置は、人工心臓弁から延在するテザーの一部を受け入れることができるテザー通路の少なくとも一部を規定する基礎部材を含む、テザー取付部材を含む。基礎部材は、テザー通路に交差する係止ピンチャネルを規定している。係止ピンが、係止ピンチャネル内に配置可能であり、かつ、テザー通路から間隔が空けられている第１位置と、テザー通路と交差しその中に配置されたテザーの一部に係合してテザーをテザー取付部材に固定することができる第２位置との間で移動可能である。
【０００９】
[1038]  いくつかの実施形態では、装置は、基礎部材と、基礎部材に移動可能に結合されたレバーアームと、を含むテザー取付部材を含む。基礎部材及びレバーアームはあわせて、人工心臓弁から延在するテザーの一部を受け入れることができるテザー通路を規定している。基礎部材は、テザー通路に交差しかつテザー通路に流体連通している係止ピンチャネルを規定し、係止ピンチャネル内に係止ピンが配置されている。レバーアームは、テザーの一部をテザー通路内に挿入することができる第１位置、及び、係止ピンがテザー通路内に配置されたテザーをテザー取付部材に固定する第２位置から移動するように構成されている。
【００１０】
[1039]  いくつかの実施形態では、装置は、基礎部材と、基礎部材に回転可能に結合されたハブ部材と、を含む、テザー取付部材を含む。基礎部材及びハブは、各々、人工心臓弁から延在するテザーの一部を受け入れることができるテザー通路の少なくとも一部を規定している。基礎部材は、テザー通路に交差しかつテザー通路に流体連通している係止ピンチャネルを規定し、係止ピンチャネル内に少なくとも部分的に係止ピンが配置されている。ハブは、係止ピンのドライバ部分が受け入れられるカムチャネルを規定している。ハブは、基礎部材に対して回転するように構成され、それにより、カムチャネルが、係止ピンを係止ピンチャネル内で直線状に移動させ、係止ピンを、係止ピンがテザー通路から間隔が空けられている第１位置、及び、係止ピンがテザー通路に交差しかつテザー通路内に配置されたテザーの一部に係合してテザーをテザー取付部材に固定する第２位置から移動させる。
【００１１】
[1040]  いくつかの実施形態では、方法は、テザー取付部材によって規定されたテザー通路内に、人工心臓弁から延在するテザーの一部を挿入するステップを含む。テザー取付部材は、テザーが延在する起点である心臓の心室壁の開口部に隣接して配置される。テザー取付部材は、テザー取付部材によって規定された係止ピンチャネル内に配置された係止ピンが、テザー通路に交差し、かつ、テザー通路内に配置されたテザーの一部に係合してテザーをテザー取付部材に固定するように、駆動される。
【００１２】
[1041]  本明細書で用いる単数形「１つの（ａ、ａｎ）」及び「その（ｔｈｅ）」は、文脈に明確に述べられていない限り、複数の指示対象を含む。従って、例えば、「（１つの）部材」という用語は、単一部材又は部材の組合せを意味するように意図されており、「（１つの）材料」は、１種あるいは複数種の材料又はそれらの組合せを意味するように意図されている。
【００１３】
[1042]  本明細書で用いる「近位」及び「遠位」という語は、例えば医療デバイスの術者に対してそれぞれ近づく方向及び離れる方向を指す。従って、例えば、（例えば、患者の身体に接触するか又は患者の体内に配置される）患者の身体に最も近い医療デバイスの端部は、医療デバイスの遠位端であり、遠位端とは反対側の、例えば医療デバイスの術者（又は術者の手）に最も近い端部は、医療デバイスの近位端である。
【００１４】
[1043]  いくつかの実施形態において、本明細書では、経カテーテル送達システムを用いて、閉鎖された鼓動する心臓内に配置することができる圧縮可能な人工心臓弁置換物（例えば人工僧帽弁）を係留するために使用することができる、心外膜パッドシステムが記載されている。こうした調整可能なテザー及び心外膜パッドシステムは、例えば、弁導入のために肋間空間又は剣状突起下（subxyphoid）空間を利用する処置等、低侵襲処置を介して、展開することができる。こうした処置では、人工弁は、送達システム内に適合するように圧縮させ、二次的に、送達システムから標的位置、例えば僧帽弁輪又は三尖弁輪内に放出することができるように、形成することができる。
【００１５】
[1044]  圧縮可能な人工僧帽弁は、例えば、弁尖及び心房カフを含む管状ステント本体を特徴とする形状を有することができる。これにより、弁は、僧帽弁輪内にはまり、自己僧帽弁尖によって保持され得る。心尖テザーを用いて取り付けられる可撓性弁を使用することにより、心臓の動き及び形状との適合を可能にすることができる。心臓の形状及び動きは、心筋の厚増加及び連続したねじり運動によって複雑な二相左心室変形を示すものとして周知である。心尖に固定された心室テザーのさらなる使用は、弁周囲漏れを低減し、好ましくはなくすために、カフと心房肉柱との間に十分な張力を提供しながら、人工弁の環状位置を、弁が移動するのを可能にすることなく維持するのに役立つ。適合する人工弁の使用ならびに特別な形状及び特徴は、左心室流出路（ＬＶＯＴ）干渉問題を含む凝血及び血行力学的問題を低減するか又はなくすのに役立つことができる。多くの既知の弁は、血流による問題及び大動脈／大動脈弁圧縮問題に対処することができない。
【００１６】
[1045]  構造的に、人工心臓弁は、一端（心房側端）にカフがある自己拡張型管状枠と、好ましくは弁の心室側端又はその近くの、１本又は複数本のテザーを取り付けることができる１つ又は複数の取付箇所と、安定化した組織若しくは他の好適な生物材料又は合成材料から形成することができる、弁尖を含む弁尖アセンブリと、を含むことができる。一実施形態では、弁尖アセンブリは、ワイヤ形状を含むことができ、そこでは、形成されたワイヤ構造が安定化した組織とともに使用されて、１枚、２枚、３枚又は４枚のうちのいずれかの弁尖（leaflet、valve cusp）を配置することができる弁尖支持構造が生成される。別の実施形態では、弁尖アセンブリは、ワイヤなしであり、安定化した組織及びステント本体のみを使用して、同様に１枚、２枚、３枚又は４枚のうちのいずれかの弁尖を配置することができる弁尖支持構造を提供することができる。
【００１７】
[1046]  カフ上部は、（例えば、編組ワイヤ又はレーザ切断チューブから形成された）管状ニチノール構造の一部を熱成形することによって形成することができ、それにより、下部は管状形状を保持するが、上部は開放されて管状形状ではなくなり、拡張して、種々の機能的な規則的又は不規則な漏斗状又はカラー状形状に形成することができる広がったカラー構造をもたらす。
【００１８】
[1047]  人工僧帽弁は、本明細書に記載するように、アンカーデバイスに結合された１本又は複数本のテザーを介して、心臓の外部の位置で心臓に係留することができる。例えば、テザーは、本明細書に記載するように、人工僧帽弁に結合されて心臓から延出し、アンカーデバイスにより外部の位置（例えば、心外膜表面）に固定され得る。本明細書に記載するようなアンカーデバイスは、１本又は複数本のこうしたテザーとともに、こうしたテザーが管腔内空洞から外部係留部位まで延在することが望まれる可能性がある他の外科手術状況において使用することができる。
【００１９】
[1048]  図１は、内部に経カテーテル人工僧帽弁ＰＭＶが配置され、かつ人工僧帽弁ＰＭＶを適所に固定する、本明細書に記載するような心外膜アンカーデバイスＥＡＤがある、心臓の左心室ＬＶ及び左心房ＬＡの断面図である。図１は、人工僧帽弁ＰＭＶが、自己弁輪内にはめられ、かつそこに、人工僧帽弁ＰＭＶの心房カフＡＣ、自己弁尖からの半径方向張力、及び取付部分Ｔｐによって人工僧帽弁ＰＭＶにかつ心外膜アンカーＥＡＤに固定された心室テザーＴによって保持されている状態を示す。心外膜アンカーデバイスの様々な実施形態について、具体的な実施形態を参照して以下より詳細に説明する。
【００２０】
[1049]  図２は、一実施形態に係る心外膜アンカーデバイス１００（本明細書では、「アンカーデバイス」又は「心外膜アンカー」とも呼ぶ）の概略図である。アンカーデバイス１００を用いて、心臓の左心房と左心室との間に配置された人工僧帽弁ＰＭＶを係留又は固定することができる。アンカーデバイス１００を用いて、例えば、図１に関して上述したように縫合テザー１２８を介して人工僧帽弁ＰＭＶを係留又は固定することができる。アンカーデバイス１００はまた、人工僧帽弁ＰＭＶの移植中、心臓の心室壁（図２には示さず）に形成された穿刺部も封止することができる。他の用途では、アンカーデバイス１００を用いて、医療デバイス（任意の人工房室弁又は他の心臓弁）を係留し及び／又は穿刺部等の開口部を封止することも可能である。
【００２１】
[1050]  アンカーデバイス１００は、パッド（又はパッドアセンブリ）１２０、テザー取付部材１２４及び係止ピン１２６を含むことができる。いくつかの実施形態では、アンカーデバイス１００は、図３〜図６に関して記載するように、スリーブガスケット（図２には示さず）を含むことができる。パッド１２０は、心臓の心外膜表面と接触することができ、任意の好適な生体適合性外科用材料から構成することができる。パッド１２０を用いて、人工僧帽弁を移植するときに形成された外科的穿刺部の封止を促進することができる。いくつかの実施形態では、パッド１２０は、パッド１２０の縁まで半径方向に延在するスロットを含むことができ、それにより、スロットを介してパッド１２０をテザー１２８の上に摺動させることにより、パッド１２０をテザー１２８に取り付けるか又はその周囲に配置することができる。こうした実施形態については、図９及び図１０に関して後述する。
【００２２】
[1051]  いくつかの実施形態では、パッド１２０は、パッド１２０の穿刺部位領域内の内部成長を促進するように二重ベロア材料から作製することができる。例えば、パッド又はフェルトプレジェットは、Bard（登録商標）からＰＴＦＥフェルトプレジェットとして入手可能なもの等、フェルト状ポリエステルから作製することができ、呼び厚さが２．８７ｍｍである、任意の好適なサイズ又は形状に切断することができる。いくつかの実施形態では、パッド１２０は、テザー取付部材１２４より直径を大きくすることができる。パッド１２０は、円形状又はディスク形状、若しくは、他の好適な形状を有することができる。
【００２３】
[1052]  テザー取付部材１２４は、１本又は複数本のテザー１２８を結合する（例えば、結び付けるか又はピン留めする）ことができる係留及び取付台を提供することができる。テザー取付部材１２４は、テザー１２８を受け入れることができかつテザー１２８がテザー取付部材１２４を通過する際に通ることができるテザー通路（図示せず）の少なくとも一部と、係止ピン１２６を受け入れることができる係止ピンチャネル（図示せず）と、を規定する基礎部材（図示せず）を含むことができる。具体的な実施形態に関してより詳細に後述するように、係止ピンチャネルは、テザー通路に流体連通することができ、それにより、係止ピン１２６は、係止ピンチャネル内に配置されたとき、テザー通路を通過するテザー１２８に接触するか又はそれを貫通することができる。
【００２４】
[1053]  アンカーデバイス１００が心室壁に対して締め付けられ、テザー１２８が所望の張力まで引っ張られた後、係止ピン１２６を用いて、テザー１２８を適所に保持することができる。例えば、テザー１２８は、パッド１２０の孔を通って、（アンカーデバイスがスリーブガスケットを含む場合）スリーブガスケットの孔を通って、かつ、テザー取付部材１２４のテザー通路を通って延在することができる。係止ピン１２６を、係止ピンチャネル１３４内に挿入するか又はその中で移動させることができ、それにより、係止ピン１２６は、テザー１２８がテザー取付部材１２４のテザー通路を通って延在する際、テザー１２８を貫通するか又は他の方法でテザー１２８に係合する。従って、係止ピン１２６は、テザー１２８に交差し、テザー１２８をテザー取付部材１２４に固定することができる。
【００２５】
[1054]  テザー取付部材１２４は、種々の好適な生体適合性材料で形成することができる。例えばいくつかの実施形態では、テザー取付部材１２４は、ポリエチレン又は他の硬質あるいは半硬質ポリマーから作製することができ、内部成長を促進するためにポリエステルベロアで覆うことができる。他の実施形態では、テザー取付部材１２４は、例えばNitinol（登録商標）等の金属又はセラミック材料から作製することができる。テザー取付部材１２４は、様々なサイズ及び／又は形状であり得る。例えばテザー取付部材１２４は実質的にディスク形状であり得る。
【００２６】
[1055]  いくつかの実施形態では、テザー取付部材１２４は、テザー１２８をテザー取付部材１２４内に装填する開放位置とテザー１２８をテザー取付部材１２４に固定する閉鎖位置との間で移動させることができるレバーアーム（図２には示さず）を含むことができる。例えば、いくつかの実施形態では、レバーアームが閉鎖位置まで移動すると、テザー通路は、係止ピンチャネルと交差関係になり、それにより、係止ピン１２６は、テザー通路内に配置されたテザー１２８に係合する。いくつかの実施形態では、レバーアームが開放位置にあるとき、器具を用いて係止ピンを係止ピンチャネル内で移動させることができ、それにより、係止ピンは、テザー通路内に配置されたテザー１２８と係合する。こうした実施形態では、係止ピン１２６がテザー１２８を固定した後、レバーアームを閉鎖位置まで移動させることができる。
【００２７】
[1056]  いくつかの実施形態では、テザー取付部材１２４は、テザー取付部材１２４の基礎部材に移動可能に結合されるハブを含むことができる。ハブは、係止ピン（又は係止ピンアセンブリ）１２６の一部を受け入れることができるチャネルを規定することができ、それにより、ハブは、回転する際、カムとして作用して、係止ピン１２６を係止ピンチャネル内で直線状に移動させる。先の実施形態と同様に、係止ピン１２６は、係止ピンチャネル内で移動する際、テザー通路内に配置されたテザー１２８に係合するか又はそれを貫通し、テザー１２８をテザー取付部材１２４に固定することができる。こうした実施形態については、本明細書において図２２〜図３１に関して説明する。
【００２８】
[1057]  使用時、ＰＭＶが心臓内に配置された後、ＰＭＶから延在するテザーを、アンカーデバイス１００のテザー通路内に挿入することができ、テザー取付デバイスに対する張力を所望の張力に調整することができる。別法として、場合によっては、ＰＭＶが心臓内に配置される前に、ＰＭＶから延在するテザーをアンカーデバイス１００に結合することができる。アンカーデバイス１００（例えば、特定の実施形態に応じて、係止ピン１２６がテザー通路に交差し、テザー通路内に配置されたテザーの一部に係合して、テザーをテザー取付部材に固定するように、テザー取付部材１２４若しくはレバーアーム又はハブ等のアンカーデバイスの何らかの部分）を作動させることができる。いくつかの実施形態では、テザーをテザー通路内に挿入する前に、アンカーデバイス１００を作動させて、アンカーデバイス１００を、テザーを受け入れるように構成することができる。例えば、テザー取付部材が基礎部材に移動可能に結合されたレバーアームを含む場合、テザーを挿入することができるようにレバーアームを開放位置に移動させる必要があり得る。いくつかの実施形態では、アンカーデバイス１００は、テザー取付部材１２４の基礎部材に対してハブを回転させることによって作動させることができ、それにより、係止ピン１２６は、係止ピンがテザー通路から間隔を空けて配置される第１位置、及び、係止ピンがテザー通路と交差しテザーの一部と係合するか又はそれを貫通する第２位置から移動する。
【００２９】
[1058]  図３〜図６に、心外膜アンカーデバイス１００の一実施態様を示す。心外膜アンカーデバイス２００（本明細書では、「アンカーデバイス」又は「心外膜アンカー」とも呼ぶ）は、可撓性パッド２２０、スリーブガスケット２２２、テザー取付部材２２４及び係止ピン２２６（図４に示す）を含むことができる。アンカーデバイス２００を用いて、図５及び図６に示す縫合テザー２２８を介して人工僧帽弁（図３〜図６には示さず）を係留するか又は固定することができる。アンカーデバイス２００はまた、人工僧帽弁の移植中に心臓の心室壁Ｖに形成された穿刺部２３０（図５及び図６を参照）を封止することも可能である。
【００３０】
[1059]  可撓性パッド２２０（本明細書では「パッド」とも呼ぶ）は、心臓の心外膜表面に接触することができ、任意の好適な生体適合性外科用材料から構成することができる。パッド２２０を用いて、人工僧帽弁を移植するときに形成された外科的穿刺部（例えば、穿刺部２３０）の封止を促進することができる。パッド２２０は、パッド１２０に対して上述した材料と同じか又は同様の材料で作製することができ、様々なサイズ及び形状であり得る。パッド２２０は、円形形状又はディスク形状を有するものとして示されているが、代わりに他の好適な形状を使用することができるということが理解されるべきである。より詳細に後述するように、パッド２２０は、テザー２２８（図５及び図６に示す）を受け入れることができる孔２２５（図４及び図６を参照）を規定している。
【００３１】
[1060]  スリーブガスケット２２２は、パッド２２０とテザー取付部材２２４との間に配置されることができ、パッド２２０とテザー取付部材２２４との間で発生する可能性がある間隙又は漏れを封止するために使用することができる。スリーブガスケット２２２は、例えば、テザー取付部材２２４及び／又はパッド２２０が穿刺部位に対して、例えば心室壁に対して締め付けられるときに圧縮され得るような、可撓性材料から作製することができる。スリーブガスケット２２２は、パッド２２０及びテザー取付部材２２４に結合された別個の構成要素とすることができ、又は、パッド２２０及び／又はテザー取付部材２２４と一体的にあるいは一体構造で形成されることができる。スリーブガスケット２２２を用いて、縫合テザー２２８の経路に沿って流れる可能性がある血行力学的漏れを防止することができる。スリーブガスケット２２２はまた、テザー２２８を受け入れることができる孔（図示せず）も規定することができる。
【００３２】
[1061]  テザー取付部材２２４は、１本又は複数本のテザー２２８（図５及び図６を参照）を結合する（例えば、結び付ける）ことができる係留及び取付台を提供することができる。テザー取付部材２２４は、テザー２２８を受け入れることができかつテザー２２８がテザー取付部材２２４を通過する際に通ることができる軸方向テザー通路２３５と、係止ピン２２６を受け入れることができる係止ピンチャネル２３４と、を規定する、基礎部材２４０を含む。係止ピンチャネル２３４は、テザー通路２３５に流体連通することができ、それにより、より詳細に後述するように、係止ピン２２６は、係止ピンチャネル２３４内に配置されると、テザー通路２３５を通過するテザー２２８に接触することができる。係止ピン２２６を用いて、アンカーデバイス２００が心室壁Ｖに対して締め付けられた後にテザー２２８を適所に保持することができる。例えば、テザー２２８は、パッド２２０の孔２２５を通って、スリーブガスケット２２２の孔（図示せず）を通って、かつ、テザー取付部材２２４のテザー通路２３５を通って延在することができる。係止ピン２２６を係止ピンチャネル２３４に挿入することができ、それにより、係止ピン２２６は、テザー２２８がテザー取付部材２２４のテザー通路２３５を通して延在する際にテザー２２８を貫通する。従って、係止ピン２２６は、テザー２２８に横方向に交差し、テザー２２８をテザー取付部材２２４に固定することができる。
【００３３】
[1062]  テザー取付部材２２４は、任意の好適な生体適合性材料から作製することができる。例えば、いくつかの実施形態では、テザー取付部材２２４は、ポリエチレン若しくは他の硬質又は半硬質ポリマーから作製することができ、内部成長を促進するためにポリエステルベロアで覆うことができる。他の実施形態では、テザー取付部材２２４は、例えばNitinol（登録商標）等の金属又はセラミック材料から作製することができる。テザー取付部材２２４は様々なサイズ及び／又は形状であり得る。例えば、テザー取付部材２２４は実質的にディスク形状とすることができる。
【００３４】
[1063]  いくつかの実施形態では、テザー取付部材２２４は、実質的にディスク形状であり、直径を例えば１．０ｃｍ〜３．０ｃｍの間とすることができる。他の実施形態では、テザー取付部材２２４は、直径を例えば０．２ｃｍ〜５ｃｍとすることができる。例えば、例えばヘルニア修復、胃腸修復等で使用するために、サイズの大きいテザー取付部材２２４の方が望ましい場合もある。
【００３５】
[1064]  縫合糸を捕捉して係留するために使用されるテザー取付部材２２４のディスク形状は、ねじ又はかえしで組織内に穴をあける縫合アンカーとは異なり、アンカーの部位で組織にほとんど又はまったく外傷を与えることなく使用することも可能である。さらに、ディスク状テザー取付部材２２４は、ステッチを使用する代わりに、テザー２２８の上で容易にかつ迅速に摺動させることができ、それにより、大きい穿刺部の有効な永久的閉鎖を可能にすることができる。縫付けにより大きい穿刺部を外科的に閉鎖することは、時間がかかりかつ困難である可能性がある。心臓の穿刺部を閉鎖するとき、閉鎖された穿刺部を外科医が縫い付ける必要があるという困難が加わることで、患者に対する致命的な合併症の可能性が増大する可能性がある。これは、経カテーテル技術を用いて胸腔を切開することなく、人工心臓弁が送達され展開される状況において特に当てはまる。この状況で閉鎖された心室穿刺部を縫い付けることは望ましくない可能性がある。
【００３６】
[1065]  図５及び図６は、心臓の左心室壁Ｖ内の穿刺部位２３０を通って延在しかつアンカーデバイス２００に結合されたテザー２２８を示す。図５は、心室壁Ｖの心外膜表面に対して締め付けられる前のアンカーデバイス２００と、未圧縮状態又は形態にあるスリーブガスケット２２２と、を示す。任意選択的に、テザー２２８をテザー取付部材２２４に巻回して係留をさらに促進することができる。
【００３７】
[1066]  図６は、心室壁Ｖの心外膜表面に対して締め付けられたアンカーデバイス２００を示す。図６に示すように、アンカーデバイス２００は、穿刺部位２３０に対して圧縮され心外膜表面に接触することができる。テザー２２８の端部２３２（図５に示す）は、テザー２２８がテザー取付部材２２４に固定された後、又は、アンカーデバイス２００が心外膜表面に対して固定された後に、切り落とすことができる。
【００３８】
[1067]  図７は、アンカーデバイス３００がスリーブガスケット（例えば、上述したスリーブガスケット２２２）を含まないことを除き、アンカーデバイス２００に類似する心外膜アンカーデバイス３００（本明細書では、「アンカーデバイス」又は「心外膜アンカー」とも呼ぶ）の実施形態を示す。アンカーデバイス３００は、上述した可撓性パッド２２０、テザー取付部材２２４及び係止ピン２２６とそれぞれ同じであるか又は類似するように構成することができる、可撓性パッド３２０、テザー取付部３２４及び係止ピン３２６を含むことができる。縫合テザー（図示せず）を介して人工僧帽弁（図示せず）を固定するためにアンカーデバイス２００と同じか又は類似するアンカーデバイス３００を使用することができる。アンカーデバイス３００は、例えば、縫合テザーの経路に沿って流れる可能性がある血行力学的漏れを防止するために漏れ防止スリーブが不要である場合、使用することが望ましい可能性がある。
【００３９】
[1068]  図８は、アンカーデバイス４００がパッド（例えば、パッド２２０及び３２０）を含まないことを除き、アンカーデバイス２００及びアンカーデバイス３００に類似する心外膜アンカーデバイス４００（本明細書では、「アンカーデバイス」又は「心外膜アンカー」とも呼ぶ）の実施形態を示す。アンカーデバイス４００は、上述したテザー取付部材２２４、スリーブガスケット２２２及び係止ピン２２６とそれぞれ同じか又は類似するように構成することができる、テザー取付部材４２４、スリーブガスケット４２２及び係止ピン４２６を含むことができる。アンカーデバイス４００を用いて、先の実施形態に対して上述したものと同じように又は同様に、テザー（図示せず）を介して人工僧帽弁（図示せず）を係留又は固定することができる。アンカーデバイス４００は、例えば可撓性パッドが不要である場合、例えばテザーが新たな位置に移動するとき、使用することが望ましい可能性がある。こうした場合、心室穿刺部は小さく（例えば小径）、出血制御のためにパッドは不要である可能性がある。
【００４０】
[1069]  図９及び図１０は、本明細書に記載したような心外膜アンカーデバイスに含めることができるパッド５２０の実施形態を示す。パッド５２０は、軸方向孔５２５と、孔５２５に連通するスロット５３７と、を規定している。スロット５３７は、パッド５２０の外縁まで半径方向に延在し、それにより、パッド５２０をテザー５２８の長さに沿って摺動させることなく、パッド５２０をテザー５２８（図１０を参照）の周囲に配置するか又はそこから取り除くことができる。例えば、パッド５２０は、テザーがスロット５３７内に挿入されかつパッド５２０の開口部５２５内に配置されるように、パッド５２０を側部から横方向に摺動させることにより、テザー５２８の周囲に配置することができる。パッド５２０は、例えばピン、クランプ等によってテザーに固定することができる。
【００４１】
[1070]  パッド５２０を取り除くために、パッド５２０を、側部から出るように、例えば心臓の心室の心尖の外側に同様に摺動させることができる。従って、アンカーデバイス全体を取り除くことなく、パッド５２０を取り除くことができる。パッド５２０は、先の実施形態（例えば、パッド２２０、３２０、４２０）に対して上述したものと同じか又は類似する材料で形成することができ、上述したように（例えば心室壁の）穿刺部位を閉鎖するために使用することができる。
【００４２】
[1071]  パッド５２０はまた、心尖において、動きの量を制限しかつ心尖を通過するイントロデューサシースを使用することも可能にすることができる。例えば、シースが引き戻されるとき、スロット付きパッド５２０を側部から入るように摺動させることができ、それによりシース除去中のテザー張力の制御が可能になる。スロット５３７のあるパッド５２０はまた、上述したようにシースとは無関係に使用することも可能である。
【００４３】
[1072]  図１１及び図１２は、本明細書に記載するようなアンカーデバイス内に含めることができるテザー取付部材６２４の実施形態を示す。テザー取付部材６２４に対して本明細書に記載した様々な特徴は、他の実施形態（例えば、１２４、２２４、３２４、４２４）に対して本明細書に記載したテザー取付部材に含めることも可能である。上述したように、係止ピン６２６（図１１に示す）を用いて、先の実施形態に対して上述したものと同様にテザー／縫合糸をテザー取付部材６２４に固定することができる。
【００４４】
[1073]  ディスク形状を有するテザー取付部材６２４が示されており、巻回チャネル６３２、軸方向テザー通路６３５、半径方向チャネル６３３、及び係止ピン６２６を受け入れることができる係止ピンチャネル６３４を規定する、基礎部材６４０を含むことができる。基礎部材６４０はまた、各々がテザー通路８３５と連通している近位開口部６１５及び遠位開口部６１７も規定している。基礎部材６４０は、近位開口部６１５に面取り縁又は食付き部６２７を含み、遠位開口部６１７に面取り縁又は食付き部６２９を含み、縫合糸（例えばテザー）がテザー通路６３５内に容易に通されるのを可能にし、縫合糸に対するテザー取付部材６２４の横方向切断力を低減させることができる。半径方向チャネル６３３により、術者は、係留されるように意図されたテザー（図示せず）を迅速に捕捉して取り付けることができる。巻回チャネル６３２により、術者は、テザー取付部材６２４の周囲にテザーを迅速に巻回することができる。半径方向チャネル６３３とともに巻回チャネル６３２を使用することにより、術者はテザーを迅速に係留することができる一方で、特定の用途に対して適切であるようにテザー（図示せず）に対する張力を調整するようにアンカーデバイスを解いて再校正することができる。
【００４５】
[1074]  図１３〜図１６は、心外膜アンカーデバイス７００の別の実施形態の一部を示す。心外膜アンカーデバイス７００は、テザー取付部材７２４と、可撓性パッド又は布部材（図１３〜図１６には示さず）と、を含む。テザー取付部材７２４は、先の実施形態に対して上述したものと同様に内部に係止ピン７２６を受け入れることができる係止ピンチャネル７３４と、周方向のパッドチャネル７４２と、を規定する、基礎部材７４０を含む。パッドチャネル７４２を用いて、心外膜アンカーデバイス７００の可撓性パッド又は布部材（図１３〜図１６には示さず）をテザー取付部材７２４に固定することができる。例えば、先の実施形態に対して上述したようにアンカーデバイス７００が心室壁に固定されるとき、可撓性パッドが心室壁と接触するように、テザー取付部材７２４の遠位端部分に可撓性パッドを配置することができる。
【００４６】
[1075]  テザー取付部材７２４はまた、テザー７２８（例えば、図１５及び図１６を参照）を受け入れることができるテザー通路７３５と、テザー通路７３５にそれぞれ連通している近位開口部７１５及び遠位開口部７１７と、を規定している。遠位開口部７１７に又はその近くに面取り縁又は食付き部７２９が含まれ、それにより、テザー７２８（図１５及び図１６を参照）をテザー通路７３５内に容易に通すことができ、テザー７２８に対するテザー取付部材７２４の横方向の切断力が低減する。
【００４７】
[1076]  基礎部材７４０に、基礎部材７４０とあわせてテザー通路７３５を規定するレバーアーム７３８が結合されている。レバーアーム７３８は、図１６に示すような、ばね部材７３９によって下降位置まで付勢される第１位置と、図１３〜図１５に示すような、テザー７２８をテザー通路７３５内に配置することができるようにレバーアーム７３８が伸長位置に配置される第２位置との間で移動させることができる。例えば、レバーアーム７３８を図１５に示す矢印Ａの方向に回転させて、その第２位置すなわち伸長位置まで移動させることができる。場合によっては、縫合糸又はコードを使用して、レバーアーム７３８を伸長した第２位置に引っ張ることができる。
【００４８】
[1077]  例えば図１４及び図１５に示すように、第１位置にあるとき、係止ピン７２６の先端は、レバーアーム７３８及びテザー通路７３５から間隔をあけて配置されている。係止ピン７２６がテザー通路７３５から間隔を空けて配置されるとき、図１５に示すように、テザー７２８をテザー通路７３５内に挿入することができる。そして、テザー７２８を所望の張力まで締め付けることができ、その後、図１６に示すように、レバーアームを、第１位置に戻るように付勢されるまで解放することができる。レバーアーム７３８が第１位置まで移動する（例えば、付勢される）とき、テザー７２８がテザー通路７３５を通って延在している状態で、係止ピン７２６はテザー７２８を貫通するかテザー７２８に交差し、その後、係止ピンの先端は、レバーアーム７３８によって規定された空洞７３６内に配置されて、テザー７２８をテザー取付部材７２４に固定する。
【００４９】
[1078]  図１７〜図２１は、テザー取付部材８２４と、可撓性パッド又は布部材（図１７〜図２１には示さず）と、を含む心外膜アンカーデバイス８００の別の実施形態の一部を示す。テザー取付部材８２４は、基礎部材８４０と、基礎部材８４０に枢支結合されたレバーアーム８３８と、を含む。基礎部材８４０は、周方向のパッドチャネル８４２を規定し、その内部で、可撓性パッドをテザー取付部材８２４に結合することができる。例えば、先の実施形態に対して上述したように、アンカーデバイス８００が心室壁に固定されるとき、可撓性パッドが心室壁に接触するように、テザー取付部材８２４の遠位端部分に可撓性パッドを配置することができる。
【００５０】
[1079]  レバーアーム８３８及び基礎部材８４０はあわせて、図１７に示すように、テザー８２８を受け入れることができるテザー通路８３５を規定している。基礎部材８４０はまた、各々がテザー通路８３５に流体連通している遠位開口部８１７及び開口部８１５も規定している。テザー８２８は、遠位開口部８１７（心室壁に最も近接して移植される側）を通して挿入され、基礎部材８４０によって規定されるテザー通路８３５の一部を通って、かつ、レバーアーム８３８によって規定されるテザー通路８３５の一部を通って延在し、開口部８１５から出ることができる。上述した実施形態と同様に、基礎部材８４０は、テザー通路８３５の遠位開口部８１７に面取り縁又は食付き部８２９を含み、それにより、テザー８２８をテザー通路８３５に容易に通すことができ、テザー８２８に対するテザー取付部材８２４の横方向切断力が低減する。
【００５１】
[1080]  レバーアーム８３８は、係止ピン８２６を移動可能に配置することができる係止ピンチャネル８４４を規定している。係止ピン８２６は、ドライバ部分８４６及び貫通部分８４９を含む。図１７及び図１８に示すように、係止ピンチャネル８４４は、係止ピン８２６のドライバ部分８４６を移動可能に配置することができる、直径が変化する部分を含む。例えば、ドライバ部分８４６は、係止ピンチャネル８４４の内壁にねじ式に結合することができ、それにより、係止ピン８２６を、図１７に示す、ドライバ部分８４６が係止ピンチャネル８４４の部分８３９内に配置され、貫通部分８４９がテザー通路８３５から間隔があけられている第１位置と、ドライバ部分８４６が係止ピンチャネル８３４の部分８４５（図１７及び図１８に示す）内に配置され、かつ、貫通部分８４９がテザー通路８３５を通って延在してテザー８２８と係合するか又はそれを貫通する第２位置との間で、移動させることができる。レバーアーム８３８はまた、さらに詳細に後述するように、係止ピンチャネル８４４と連通し、かつ、係止ピン８２６を係止ピンチャネル８４４内で移動させるために使用することができる打込み工具を受け入れることができる、開口部８４７も規定している。
【００５２】
[1081]  レバーアーム８３８を、例えば図１７及び図１８に示すような、レバーアーム８３８が基礎部材８４０から近位方向に延在する第１位置すなわち開放位置と、図２１に示すような、レバーアーム８３８の近位面８１９が基礎部材８４０の近位面８２１と実質的に同一平面である第２位置すなわち閉鎖位置との間で、移動させる（例えば、回転させる、旋回させる）ことができる。レバーアーム８３８が第１位置すなわち開放位置にあるとき、図１９及び図２０に示すように、レバーアーム８２８に送達器具８４８を結合することができる。送達器具８４８は、係止ピン８２６を係止ピンチャネル８３４内で移動させるように係止ピン８２６のドライバ部分８４６に係合することができる、図１８に示すドライバ８４９（例えば、ねじ回し）を含むことができる。
【００５３】
[1082]  動作時、テザー８２８は、テザー通路８３５内に挿入され、開口部８１５から出てかつ送達器具８４８内に延在することができる。そして、テザー８２８を所望の張力まで締め付けることができる。テザー８２８が所望の張力にある状態で、その後、送達器具８４８のドライバ８４９は、図１７に示すような第１位置から、貫通部分８４９がテザー８２８を貫通するか又はそれに係合して、テザー８２８をテザー取付部材８２４に固定する第２位置まで、係止ピン８２６を移動させることができる。例えば、送達器具８４８のドライバ８４９は、係止ピン８２６を第１位置から第２位置までねじ式に移動させることができる。テザー８２８がテザー取付部材８２４に固定された後、送達器具８４９を取り除くことができ、図２１に示すように、レバーアーム８３８を第２位置すなわち閉鎖位置まで移動させることができる。
【００５４】
[1083]  図２２〜図３０は、別の実施形態による心外膜アンカーデバイスを示す。心外膜アンカーデバイス９００は、テザー取付部材９２４、パッドアセンブリ９２０、チューブ部材９５５及びチューブカバー部材９５６を含む。テザー取付部材９２４は、基礎部材９４０、ハブ９５０、保持リング９５２、係止ピンアセンブリ９２６及びピン部材９５３を含む。係止ピンアセンブリ９２６は、ドライバ部分９４６及び貫通部分９４９を含む。基礎部材９４０は、周方向のパッドチャネル９４２、保持チャネル９５１及び係止ピンチャネル９３４を規定している。パッドチャネル９４２を用いて、パッドアセンブリ９２０をテザー取付部材９２４に結合することができる。保持チャネル９５１は、ハブ９５０を基礎部材９４０に保持するために用いられる保持リング９５２の外縁を受け入れることができる。基礎部材９４０はまた、例えば図２３、図２５及び図３０に示すように、切取部又は戻り止め９４３も規定している。
【００５５】
[1084]  チューブ部材９５５は、基礎部材９４０に結合され、基礎部材９４０、ハブ９５０及びチューブ部材９５５はあわせて、テザー（図示せず）を受け入れることができるテザー通路９３５を規定している。カバー部材９５６は、例えばDacron（登録商標）等の布材料から形成することができる。テザーチャネル９３５は、係止ピンチャネル９３４と交差し、それと流体連通している。
【００５６】
[1085]  パッドアセンブリ９２０は、パッド頂部９５８、パッド底部９５９、及び、それらの間に配置された充填部材９５７を含む。パッド頂部９５８及びパッド底部９５９は各々、例えば、可撓性布材料で形成することができる。パッド頂部９５８及びパッド底部９５９は各々、チューブ部材９５５が通過することができる中心開口部を規定することができる。例えば図２５〜図２７に示すように、パッド頂部９５８の一部は、基礎部材９４０のチャネル９４２内に受け入れられる。
【００５７】
[1086]  ハブ９５０の外縁部分は、保持チャネル９５１内に受け入れられ、それにより、さらに詳細に後述するように、ハブ９５０は、基礎部材９４０に対して回転して係止ピンアセンブリ９２６を作動させることができる。例えば図２８及び図２９に示すように、ハブ９５０は、突起９６２を備えたアーム９６１を含む。突起９６２は、基礎部材９４０の切取部９４３内に受け入れられ、ハブ９５０の回転に対する止め具又は制限部として作用することができる。ハブ９５０によって規定されるスロット９６３により、アーム９６１は撓曲することができ、突起９６２を切取部９４３から出入りするように移動させることができる。例えば図２７及び図２９に示すように、ハブ９５０は、ハブ９５０の底部に湾曲チャネル９５０を規定している。湾曲チャネル９５０は非対称（例えば、らせん状）であり、係止ピンアセンブリ９２６のドライバ部分９４６を受け入れる。ハブ９５０が基礎部材９４０に対して回転する際、ハブ９５０はカムとして作用して、係止ピンチャネル９３４内で係止ピンアセンブリ９２６を直線状に移動させる。係止ピンアセンブリ９２６は、図２５及び図２６に示すような、貫通部分９４９がテザー通路９３５の外側に配置される第１位置、及び、図２７に示すような、貫通部分９４９がテザー通路９３５を通って延在する第２位置から移動させることができる。ピン部材９５３（例えば図２６を参照）は、アンカーデバイスの他の構成要素より放射線不透過性であり、従って従来の撮像モダリティを用いて術者（例えば医師）に可視であることにより、術者が、係止ピンアセンブリ９２６が第２位置に完全に移動したことを確認することができるようにする、金属材料で形成することができる。
【００５８】
[1087]  使用時、係止ピンアセンブリ９２６が第１位置にあるとき、例えば人工僧帽弁に結合されかつ心臓の心室壁の穿刺部位を通って延在するテザー（図示せず）を、テザー通路９３５に挿入することができる。そして、ハブ９５０を１８０度回転させて、係止ピンアセンブリ９２６を係止ピンチャネル９３４内で直線状に移動させることができ、それにより、貫通部分９４９はテザー通路９３５を通って延在し、テザーに係合するか又はそれを貫通して、テザーをテザー取付部材９２４に固定する。例えば、係止ピンが第１位置にあるとき、ハブ９５０の突起９６２は各々、基礎部材９４０の切取部９４３のうちの１つの中に配置される（すなわち、第１突起は第１切取部にあり、第２突起は第２切取部にある）。そして、ハブ９５０を１８０度回転させることができ、それにより、突起９６２は基礎部材９４０の切取部９４３から出るように移動し、１８０度の最後に、突起９６２は基礎部材９４０の切取部９４３のうちの他方の中に移動する（すなわち、第１突起はこのとき第２切取部にあり、第２突起はこのとき第１切取部にある）。
【００５９】
[1088]  基礎部材９４０はまた、切取部分９６６も含み、送達デバイスを心外膜アンカーデバイス９００に結合するために使用することができる側部開口部９６７（例えば、図２２及び図２３を参照）を規定することができる。例えば、図３１は、結合アーム９６８を有する送達デバイス９４８と、アーム９６８から内側に延在する結合ピン（図示せず）とを示す。側部開口部９６７は、結合ピンを受け入れることができ、切取部分９６６には、結合アーム９６８を係合させることができる。
【００６０】
[1089]  様々な実施形態について上述したが、それらは、限定としてではなく単に例として提示されていることが理解されるべきである。上述した方法は、所定の順序で発生するいくつかの事象を示すが、いくつかの事象の順序は変更することができる。さらに、事象のうちのいくつかは、可能な場合は並列処理で同時に行うことができるとともに、上述したように逐次行うことができる。
【００６１】
[1090]  上述した概略及び／又は実施形態は、いくつかの向き又は位置で配置されるいくつかの構成要素を示すが、構成要素の配置は変更することができる。実施形態が特に図示されかつ記載されているが、形態及び詳細の様々な変更を行うことができることが理解されよう。本明細書に記載する装置及び／又は方法のいかなる部分も、相互に排他的な組合せを除き、あらゆる組合せで結合することができる。本明細書に記載する実施形態は、記載した異なる実施形態の機能、構成要素及び／又は特徴の様々な組合せ及び／又は副組合せを含むことができる。
【図１】
0006465883.tif 000002
【図２】
0006465883.tif 000003
【図３】
0006465883.tif 000004
【図４】
0006465883.tif 000005
【図５】
0006465883.tif 000006
【図６】
0006465883.tif 000007
【図７】
0006465883.tif 000008
【図８】
0006465883.tif 000009
【図９】
0006465883.tif 000010
【図１０】
0006465883.tif 000011
【図１１】
0006465883.tif 000012
【図１２】
0006465883.tif 000013
【図１３】
0006465883.tif 000014
【図１４】
0006465883.tif 000015
【図１５】
0006465883.tif 000016
【図１６】
0006465883.tif 000017
【図１７】
0006465883.tif 000018
【図１８】
0006465883.tif 000019
【図１９】
0006465883.tif 000020
【図２０】
0006465883.tif 000021
【図２１】
0006465883.tif 000022
【図２２】
0006465883.tif 000023
【図２３】
0006465883.tif 000024
【図２４】
0006465883.tif 000025
【図２５】
0006465883.tif 000026
【図２６】
0006465883.tif 000027
【図２７】
0006465883.tif 000028
【図２８】
0006465883.tif 000029
【図２９】
0006465883.tif 000030
【図３０】
0006465883.tif 000031
【図３１】
0006465883.tif 000032